(57)【要約】【課題】収納部の底部よりも立ち上げ部の立ち上げ寸法だけ商品を収納部内で上方に配置し得るようにするとともに、製造が容易で製造コストが低く、商品の収納が容易なパッケージ容器を得る。【解決手段】商品37を収納する透明又は半透明の収納部1に底フラップ12を一体形成したパッケージ容器であって、この底フラップ12を商品37収納方向の内方に折曲して立ち上げ、この立ち上げ部40に商品37の下端43を当接して載置することにより、収納部1の底部42よりも立ち上げ部40の立ち上げ寸法だけ商品37を収納部1内で上方に配置し得るようにする。【選択図】図１
2006123988.tif 000002
【特許請求の範囲】
【請求項１】
商品を収納する透明又は半透明の収納部の底フラップを、商品収納方向の内方に折曲して立ち上げ、この立ち上げ部に商品の下端を当接して載置することにより、収納部の底部よりも立ち上げ部の立ち上げ寸法だけ商品を収納部内で上方に配置し得るようにしたことを特徴とするパッケージ容器。
【請求項２】
底フラップは、商品収納方向の内方に折曲するための折曲線を、幅方向の中央部に凹溝又はミシン目にて形成したことを特徴とする請求項１のパッケージ容器。
【請求項３】
底部は、立ち上げ部の下方に、収納部に延設した底蓋フラップを配置したものであることを特徴とする請求項１または２のパッケージ容器。
【発明の詳細な説明】
【技術分野】
【０００１】
本発明は、内部に商品を収納し、店頭に陳列等するために使用する透明又は半透明のパッケージ容器に関するものである。
【背景技術】
【０００２】
特許文献１に示す如く、透明な樹脂材にて形成したパッケージ容器内に商品を収納し、店頭等に設置した陳列棚に陳列することは、従来より一般的に行われている。このように透明なパッケージ容器を用いることにより、パッケージ容器の内部に収納した商品を透視することが可能となるため、顧客はパッケージ容器の内部に収納するとともに、陳列棚に陳列した商品を容易に視認することができる。
【０００３】
しかしながら、陳列棚には、棚板の先端に沿って垂直方向に受部を突出し、陳列棚の棚板上に配置した商品が棚板から転落するのを防止するようにしたものが知られている。しかし、このような陳列棚に於いては、展示した際にパッケージ容器の正面下側の一部が受部の背後に隠れてしまうため、内部に収納した商品の全体を見せることが困難となるものであった。そのため、顧客に対して商品の外観を十分にアピールすることが困難となるとともに、顧客は商品の全体を見るために、その都度陳列棚から収納部を取り出さなければならず、商品選択の際に煩雑なものとなっていた。
【０００４】
そこで、特許文献２及び特許文献３に示す如く、透明の樹脂材にて形成したパッケージ容器の底部に立ち上げ部を形成し、この立ち上げ部に商品の下端を当接させることにより、商品を立ち上げ部の立ち上げ寸法だけ上方に配置可能としたものが存在する。
【特許文献１】実開平３−８１８２４号公報
【特許文献２】実開平５−３４１２０号公報
【特許文献３】実開平７−１７７２１号公報
【発明の開示】
【発明が解決しようとする課題】
【０００５】
しかしながら、特許文献２及び３のパッケージ容器は、化粧品を収納する収納部と立ち上げ部とを別個に形成しているため、製造が煩雑になるとともに、製造費用も高くなる。また、特許文献２に記載のパッケージ容器の場合は、パッケージ容器内に、このパッケージ容器とは別体に形成した収納ケース内に化粧料用容器を収納してから、化粧料用容器をパッケージ内に収納するため、まず化粧料用容器を収納部に収納し、その後収納部をパッケージ内に収納しなければならない。そのため、商品をパッケージ容器の内部に収納するには手間がかかるものであった。
【０００６】
そこで、本発明は上述の如き課題を解決しようとするものであって、透明又は半透明の収納部に立ち上げ部を収納部と一体に形成し、この立ち上げ部に商品の下端を当接して載置することにより、収納部の底部よりも立ち上げ部の立ち上げ寸法だけ商品を収納部内で上方に配置し得るようにするとともに、製造が容易で製造コストが低く、商品の収納が容易なパッケージ容器を得ようとするものである。
【課題を解決するための手段】
【０００７】
本発明は、商品を収納する透明又は半透明の収納部の底フラップを、商品収納方向の内方に折曲して立ち上げ、この立ち上げ部に商品の下端を当接して載置することにより、収納部の底部よりも立ち上げ部の立ち上げ寸法だけ商品を収納部内で上方に配置し得るようにして成るものである。
【０００８】
また、底フラップは、商品収納方向の内方に折曲するための折曲線を、幅方向の中央部に凹溝又はミシン目にて形成したものであってもよい。
【０００９】
また、底部は、立ち上げ部の下方に、収納部に延設した底蓋フラップを配置したものであってもよい。
【発明の効果】
【００１０】
本発明は、透明又は半透明の収納部に立ち上げ部を収納部と一体に形成し、この立ち上げ部に商品の下端を当接して載置することにより、収納部の底部よりも立ち上げ部の立ち上げ寸法だけ商品を収納部内で上方に配置し得るようにするものであって、製造が容易で製造コストが低く、商品の収納が容易なパッケージ容器を得るものである。
【実施例】
【００１１】
本発明の一実施例を図１〜図５に於いて説明すれば、(１)は収納部である。この収納部(１)は、透明のポリプロピレンにて形成しており、設計図に合わせて折曲し、組み立てることにより本実施例のパッケージ容器を得ることができる。尚、本実施例では透明な収納部(１)を用いているが、他の異なる実施例では、半透明の収納部(１)を用いることも可能である。また、本実施例ではポリプロピレンを使用しているが、他の異なる実施例では、ポリエチレンテレフタレート等の透明又は半透明のプラスチックを使用することも可能である。また、この収納部(１)は、図２に示す如く、長方形状の前板(２)、この前板(２)の一側に設けた継代片(３)、背板(４)、この背板(４)と前板(２)を接続する内側板(５)、背板(４)の内側板(５)とは反対側に設けた外側板(６)をそれぞれ折曲用の縦罫線(７)(８)(１０)(１１)を介して平行に設けている。
【００１２】
上記パッケージ容器を詳細に説明すると、前板(２)の下端には、前板(２)と同一幅にて形成した底フラップ(１２)を延設するとともに、上端には前板(２)と同一幅にて形成した上蓋フラップ(１３)を各々折曲用の横罫線(１４)(１５)を介して延設している。
【００１３】
この底フラップ(１２)の幅方向の中央には、図２の一点鎖線で示す如く、底フラップ(１２)を商品収納方向の内方に折曲するための折曲線(１６)を横罫線(１４)(１５)と平行に凹溝にて形成している。このように折曲線(１６)を凹溝にて形成することにより、凹溝部分の収納部(１)の厚さが他の部分よりも肉薄となるため、折曲が容易となる。尚、本実施例では上記の如く、折曲線(１６)を凹溝にて形成しているが、他の異なる実施例では、折曲線(１６)をミシン目や切り込みにて形成することも可能である。
【００１４】
また、上蓋フラップ(１３)は、パッケージ容器の天板を形成する天板部(１７)を横罫線(１５)を介して形成するとともに、パッケージ容器の商品収納方向である内方に差し込むための差込部(１８)を天板部(１７)と折り線(２０)とを介して連続して形成している。また、上記の如く、前板(２)に連続して設けた内側板(５)は、上端及び下端に、それぞれ横罫線(２１)(２２)を介して上側フラップ(２３)及び下側フラップ(２４)を延設している。また、この上側フラップ(２３)及び下側フラップ(２４)の形成幅は、内側板(５)の形成幅よりもやや狭いものとしている。
【００１５】
また、背板(４)の下端には、背板(４)と同一幅に形成した底蓋フラップ(２５)を横罫線(２６)を介して延設するとともに、上端には背板(４)と同一幅に形成した突出片(２７)を横罫線(２６)等の折曲のための線を設けることなく延設している。そして、上記底蓋フラップ(２５)の下端には、折り線(４１)を介して下端を円弧状に形成した差込片(２８)を設け、この差込片(２８)には底蓋フラップ(２５)との接続部(３０)の両端に切り欠きを介して係止部(３１)を突出形成している。
【００１６】
また、背板(４)に連続して設けた外側板(６)は、上端及び下端にそれぞれ横罫線(３２)(３３)を介して上側フラップ(３４)及び下側フラップ(３５)を延設している。また、この外側板(６)の形成幅は、上記内側板(５)の形成幅と同一幅とするとともに、上側フラップ（３４）及び下側フラップ(３５)を外側板(６)よりも少し幅狭に形成している。また、前板(２)の底フラップ(１２)側には、組立時に於いて、底蓋フラップ(２５)に設けた差込片(２８)を差し込むための差込口(３６)を切り込んで形成している。
【００１７】
上記の如く構成したものにおいて、本実施例のパッケージ容器の組み立て手順及び当該パッケージ容器内への商品(３７)の収納方法について以下に説明する。まず、継代片(３)と前板(２)、前板(２)と内側板(５)、内側板(５)と背板(４)、背板(４)と外側板(６)のなす角がそれぞれ直角となるよう、各境目に設けられた縦罫線(７)(８)(１０)(１１)に沿って折曲する。そして、図３に示す如く、外側板(６)の端縁(３８)に、継代片(３)と前板(２)との境目に形成した縦罫線(７)を重ね合わせるとともに、外側板(６)上に継代片(３)を配置して外側板(６)に継代片(３)を接着剤、熱溶着等の方法で接着固定することにより、収納部(１)を筒状に組み立てる。
【００１８】
そして、図３の二点鎖線で示す如く、前板(２)に延設した底フラップ(１２)を横罫線(１４)に沿って背板(４)側に折曲するとともに、この底フラップ(１２)を、底フラップ(１２)の中央に形成した折曲線(１６)に沿って商品収納方向の内方に折曲することにより、折曲線(１６)を稜線とする山型の立ち上げ部(４０)を形成する。そして、この立ち上げ部(４０)の下端に、底フラップ(１２)の両側に設けられた下側フラップ(２４)(３４)を横罫線(２２)(３３)に沿って内側直角方向に折曲配置するとともに、この下側フラップ(２４)(３４)の下に、背板(４)に延設した底蓋フラップ(２５)を横罫線(２６)に沿って前板(４)側に折曲配置する。
【００１９】
そして、底蓋フラップ(２５)に連続して設けた差込片(２８)を折り線(４１)に沿って前板(２)側に折曲し、前板(２)に設けた差込口(３６)から内方に、差込片(２８)の係止部(３１)を弾性変形させながら挿入する。これにより、図４に示す如く、差込片(２８)の両側に形成した係止部(３１)が前板(２)の内面に当接して差込片(２８)が前板(２)に係止するため、底蓋フラップ(２５)を前板(２)に接続固定することが可能となる。このように底蓋フラップ(２５)を背板(２)と垂直に固定配置することにより、パッケージ容器の底部(４２)を形成している。
【００２０】
上記の如く底部を設けることにより、図４に示す如く、立ち上げ部(４０)を形成した底フラップ(１２)の下端(４３)を、底部(４２)と背板(４)とで形成された角部(４４)に当接させて、立ち上げ部(４０)を位置固定することが可能となる。そのため、パッケージ容器内において、この立ち上げ部(４０)に載置した商品(３７)を安定した状態で保つことができる。
【００２１】
また、上記の如く前板(２)に延設した底フラップ(１２)を折曲するのみで、容易に立ち上げ部(４０)を一体形成することができるため、製造が容易となるとともに、製造コストを低く抑えることが可能となる。
【００２２】
この時点では、図４に示す如く、上記の如く組み立てたパッケージ容器の上方に、前板(２)、背板(４)、内側板(５)及び外側板(６)により開口部(４５)が形成されているため、この開口部(４５)から商品(３７)を容易に収納することができる。そして、図５に示す如く、上記開口部(４５)から商品(３７)を収納し、この商品(３７)の下端を立ち上げ部(４０)の稜線(４６)に当接させて、商品(３７)を立ち上げ部(４０)に載置する。このように、立ち上げ部(４０)に商品(３７)の下端を載置することにより、底部(４２)よりも立ち上げ部(４０)の立ち上げ寸法だけ商品(３７)を上方に配置することが可能となる。
【００２３】
そして、上記の如く、内部に商品(３７)を収納配置した後、上蓋フラップ(１３)の両側に配置した上側フラップ(２３)(３４)を横罫線(２１)(３２)に沿って各々折曲する。そして、上蓋フラップ(１３)の差込部(１８)を折り線(２０)に沿って背板(４)側に折曲し、この上蓋フラップ(１３)の天板部(１７)を上記上側フラップ(２３)(３４)の上に配置するとともに、差込部(１８)を背板(４)と上側フラップ(２３)(３４)の間隙に挿入配置することより、図５に示す如く、本実施例におけるパッケージ容器の上蓋が形成される。
【００２４】
そして、上記の如く組み立てるとともに、内部に商品(３７)を収納したパッケージ容器を、図１に示す如く、陳列棚(４７)に陳列する。本実施例で用いる陳列棚(４７)は、図１に示す如く、棚板(５０)の先端に沿って上方に受部(４８)を突出形成している。ここで、本実施例では図１の矢印で示す如く、パッケージ容器の立ち上げ部(４０)の立ち上げ寸法を、陳列棚(４７)の受部(４８)の形成高さよりも高く形成しているため、商品(３７)の下端が受部(４８)の背後に隠れることなく、立ち上げ部(４０)に載置した商品(３７)の全体を視認することが可能となるとともに、パッケージ容器は下部前面側を受部(４８)により陳列棚(４７)に安定して配置することが可能となり、落下などの危険を防止することが可能となる。
【００２５】
従って、内部に商品(３７)を収納したパッケージ容器を安定して陳列棚(４７)に陳列した状態で、当該商品(３７)の全体を見せることが可能となるため、顧客に対する商品(３７)のアピール度を高めることができる。また、顧客側は、商品(３７)全体の確認のためにその都度商品(３７)を陳列棚(４７)から取り出すという手間を省くことができる。また、パッケージ容器の背板(４)には突出片(２７)を延設しており、この突出片(２７)をつまむことにより、パッケージ容器を陳列棚(４７)から容易に取り出すことが可能なものとなっている。
【図面の簡単な説明】
【００２６】
【図１】内部に商品を収納したパッケージ容器を陳列棚に陳列した状態を示す斜視図。
【図２】本発明の一実施例を示すパッケージ容器の展開図。
【図３】図１の一部組み立て図。
【図４】本実施例のパッケージ容器において、開口部を形成した状態を示す斜視図。
【図５】内部に商品を収納したパッケージ容器の斜視図。
【符号の説明】
【００２７】
１  収納部
１２  底フラップ
１６  折曲線
２５  底蓋フラップ
３７  商品
４０  立ち上げ部
４２  底部
【図１】
2006123988.tif 000003
【図２】
2006123988.tif 000004
【図３】
2006123988.tif 000005
【図４】
2006123988.tif 000006
【図５】
2006123988.tif 000007